(57)【要約】      （修正有）【課題】幼児を体の前で片手で抱く場合に、手に掛かる負荷を軽減して、長時間抱くことの出来る幼児用だっこ紐を提供する。【解決手段】幼児用だっこ紐１は肩掛け紐体２０、吊り手３０、肩当て４０、長さ調節機能付き分離結合用留め具７０より構成されている。肩掛け紐体２０の長さを留め具７０で調製した後、肩掛け紐体２０の肩当て４０を例えば左側の肩に掛けて襷がけに掛ける。幼児を向き合った状態で抱いて左手の腕に幼児のお尻を載せて抱き上げ、幼児固定用紐体６０を幼児の背中にかけて、雄型バックル７１を雌型バックル７２に嵌めて固定用紐体６０を連結して幼児を固定する。左手の掌で吊り手３０を握れば、幼児の体重を肩掛け紐体２０で受け止めることになり左手の負担を軽減することが出来る。【選択図】図２
0003162494.tif 000002
【実用新案登録請求の範囲】
【請求項１】
第1の紐帯の両端を長さ調節機能付き留め具を介してループ状に連結してなる肩掛け紐
体、及び第2の紐帯の一端を上記肩掛け紐体の上部に係止し、他端を上記紐帯の下端に係
止し、その中間に長さ調節機能付き留め具を設けた幼児固定紐体とを備えていることを特
徴とする幼児用だっこ紐。
【請求項２】
上記肩掛け紐体に該肩掛け紐体を分割できる分離結合用留め具を設けたことを特徴とする
請求項１に記載の幼児用だっこ紐。
【請求項３】
上記幼児固定紐体に該幼児固定紐体を分割できる分離結合用留め具を設けたことを特徴と
する請求項１に記載の幼児用だっこ紐。
【請求項４】
上記肩掛け紐体の下部に係止される吊り手を備えていることを特徴とする請求項１記載の
幼児用だっこ紐。
【請求項５】
上記吊り手は環状の硬質部材より構成されていることを特徴とする請求項４に記載の幼
児用だっこ紐。
【請求項６】
上記環状の硬質材料より構成された吊り手の外表面に弾性体よりなるクッション材を被
せたことを特徴とする請求項５に記載の幼児用だっこ紐。
【請求項７】
上記環状の硬質部材より構成された吊り手の一部を欠損してフック状に構成したことを
特徴とする請求項５に記載の幼児用だっこ紐。
【考案の詳細な説明】
【技術分野】
【０００１】
本考案は、幼児用だっこ紐に関し、具体的には幼児を体の前で片手で抱く場合に、手に
掛かる負荷を軽減して、長時間抱くことの出来る幼児用だっこ紐に関する。
【背景技術】
【０００２】
幼児を体の前面で抱くための補助具は今までに多数提案されている。いずれも肩に掛け
た紐に幼児を抱え込むための袋状体を取り付けた物である。その代表的なものとして特開
２００３−２９００００号公報、特開２００７−１１１０８２号公報に記載された子守帯
を挙げることができる。
【先行技術文献】
【特許文献】
【０００３】
【特許文献１】特開２００３−２９００００号公報
【特許文献２】特開２００７−１１１０８２号公報
【考案の概要】
【考案が解決しようとする課題】
【０００４】
上記特許文献１の特開２００３−２９００００号公報に記載された子守り帯は、幼児を
抱き入れる領域に複数のカーブ状の接ぎを設け、中央部に立体的なふくらみを形成し、こ
のふくらみの中に幼児のお尻をいれて抱きかかえるような状態でだっこするものである。
【０００５】
又、上記特許文献２の特開２００７−１１１０８２号公報に記載された子守帯は、肩に掛
けたベルトの先に幼児のお尻を包み込む子供支え部材を設け、ここに幼児のお尻を載せて
、抱きかかえるような状態でだっこするものである。
【０００６】
いずれも、子供を抱っこする際に親自身又は子供自身に子守帯を取り付ける下準備が必要
で、すばやく抱っこすることが出来ない。
又、いずれも袋状体又は子供支え部材で子供のお尻を包んでいるので、子供を下に降ろし
て寝かす場合、子守帯から取り外す手間がかかり、折角寝ている子供を起こしてしまうこ
とがままある。
この種の子守帯は、子供の体格にもよるが、３歳位の年齢までは使用できるが、それより
大きい子供のへの取付けは難しい等の欠点がある。
【０００７】
本考案は、装着が極めて簡単にできると共に、幼児を抱きかかえている腕の負担を軽く
し、長時間幼児を抱きかかえることの出来る幼児用だっこ紐を安価に提供することを目的
とする。
【課題を解決するための手段】
【０００８】
本考案の幼児用だっこ紐は、長さ調節機能付き留め具によって長さを調節自在にしたル
ープ状の肩掛け紐体、及び該肩掛け紐体に分岐して取り付けられ長さ調節機能付き留め具
によって長さを調節自在にした幼児固定紐体を備えていることを特徴とする。肩掛け紐体
及び幼児固定紐体はアクリル繊維やナイロン繊維等の厚手の糸を編み込んだ平紐によって
製造された粗い織り目を持つ丈夫な紐で構成される。
【０００９】
上記肩掛け紐体には肩掛け紐体を分割できる分離結合用留め具を設けることもできる。分
離結合用留め具は上記の長さ調節機能付き留め具とは別個に設けてもよいが、両機能を備
えた1個の留め具を使用しても良い。また、幼児固定用紐体にも分離結合用留め具を設け
ることもできる。この場合でも、分離結合用留め具は上記の長さ調節機能付き留め具とは
別個に設けてもよいが、両機能を備えた1個の留め具を使用しても良い。
【００１０】
上記肩掛け紐体は幼児を抱いた手でその下部を握れば、幼児を抱く手にかかる負担を軽減
することができる。しかし、肩掛け紐体の下部に吊り手を取り付ければ、幼児を抱いた手
で握りやすくなる。この吊り手の形状は環状に構成すればさらに握りやすくなる。環状の
吊り手はリング状、三角状等、掌で握りやすい形状ならば特に限定する必要はない。又、
環状の一部を欠損してフック状の形状としてもよい。フック状に構成すれば、荷物等を引
っ掛けて吊り下げることもできる。
【００１１】
上記環状の吊り手は硬質のプラスチック等で作成し、その外表面には発泡ゴム等で作成
したクッション材を被せれば、掌に掛かる荷重による痛さを軽減することができる。
【００１２】
又、肩掛け紐体には肩に当たる部分にクッション性の肩当てが取り付けられている。肩
当ては厚手の布を筒状に縫合して作られている。この肩当てにはスポンジ等のクッション
材料のパットを内装しても良い。そして、筒状の穴に肩掛け紐体を挿通して肩当てを固定
する。肩当ての肩に当たる内側には滑り止めの素材で作られた裏打ちを付けても良い。
【００１３】
本考案の幼児用だっこ紐を使用する場合は、肩掛け紐体を例えば右肩の肩に掛け、左手
で向き合った体勢で幼児を抱きかかえ、左手の腕に幼児のお尻を載せた状態で幼児固定紐
体で幼児を固定し、左手の掌で吊り手を握りしめる。このようにして幼児を抱けば幼児を
抱えている側の腕の負担を軽減でき、長時間幼児を抱くことが可能となる。幼児を降ろす
場合でも、左手で握りしめている吊り手を離せば、そのまま幼児を降ろすことが出来るの
で、幼児が寝ている場合でも静かに降ろすことが出来、幼児が目を覚ますことがなくなる
。
肩掛け紐体は、襷がけにして使用することもできる。この場合、左の肩に掛ければ、吊り
手は右側になり、左手で吊り手を握ることになる。
【図面の簡単な説明】
【００１４】
【図１】本考案の幼児用だっこ紐の実施例の平面図。
【図２】本考案の幼児用だっこ紐の他の実施例の斜面図。
【図３】長さ調節機能付き留め具の断面図。
【図４】長さ調節機能付き分離結合用留め具の平面図。
【図５】本考案の幼児用だっこ紐の使用状態を示す説明図。
【図６】本考案の幼児用だっこ紐の他の使用状態を示す説明図。
【考案を実施するための形態】
【００１５】
本考案の最良の実施形態を次の実施例によって説明する。
【実施例１】
【００１６】
本実施例の幼児用だっこ紐１は、図１に示すように、長さ調節機能付き留め具５０を備
えた肩掛け紐体２０、リング状の吊り手３０、肩当て４０、長さ調節機能付き留め具５０
を備えた幼児固定紐体６０より構成されている。まず、肩掛け紐体２０を吊り手３０のリ
ング３１中をくぐらせ、次に、肩掛け紐体２０を筒状の肩当て４０の穴に挿通して肩当て
４０を嵌めた後、その自由端を長さ調節機能付き留め具５０で係止してループ状に構成す
る。幼児固定紐体６０はその一端を肩掛け紐体２０の上部に縫合して係止し、他端を肩掛
け紐体２０の下部に縫合して係止されている。
【００１７】
吊り手３は硬質のプラスチック製のリング３１の廻りに発泡ゴム等で作成したリング状
のクッション材３２を被せる。
【００１８】
長さ調節機能付き留め具５０は図３に示すように、２つの矩形状の通孔５１，５２を有す
る。通孔５１には通孔５１を長手方向に横断するバー５３が横架されている。同様に通孔
５２には通孔５２を長手方向に横断するバー５４が横架されている。バー５４には肩掛け
紐体２０の抜け落ちを防止するための小突起５５が横一列に設けられている。肩掛け紐体
２０の自由端２１を、通孔５２に潜らせて、バー５４を回り込んで通孔５２の下側から外
に引き出す。肩掛け紐体２０の他端２２は通孔５１に挿入した後バー５３を回り込んだ後
、通孔５１の下側から外に引き出し、肩掛け紐体２０に縫合２３して固着する。
【００１９】
この構造により、通孔５２に挿入した自由端２１を緩めた状態で引き出せば、その長さを
自由に調整することが出来る。引っ張って緊張した状態では自由端２１の内面に突起５５
が突き刺さり、引き抜くことが出来なくなり固定される。
【００２０】
幼児用だっこ紐１の使用状態を図５で説明する。
先ず、長さ調節機能付き留め具５０で肩掛け紐体２０の長さを調整した後、例えば右肩８
３に肩当て４０を当てて取り付ける。幼児９０を向き合った状態で抱いて左手の腕８１に
幼児のお尻を載せて抱き上げる。その時、長さ調節機能付き留め具５０を有する幼児固定
紐体６０を幼児９０の頭をくぐらせて脇の下に固定する。左手の掌８０で吊り手３０を握
れば、幼児９０の体重を肩掛け紐体２０で受けとめることになり左手の負担を軽減するこ
とが出来、幼児固定紐体６０によって幼児は安定して固定される。当然、左肩に肩掛け紐
体２０を取り付ければ、右の腕で幼児を抱くことになる。
【実施例２】
【００２１】
図２は別の実施例の幼児用だっこ紐１を示すもので、肩掛け紐体２０はその両端が長さ調
整機能付きの分離結合用留め具７０に係止されてループ状に構成されている。幼児固定紐
体６０はその一端が肩掛け紐体２０の上部に、他端は肩掛け紐体２０の下部に縫合によっ
て固定されている。幼児固定紐体６０の中間には長さ調整機能付きの分離結合用留め具７
０が設けられている。
【００２２】
肩当て４０は厚手の布地で筒状に縫合し、その肩に接する面には滑り止め用の凹凸模様
４１のあるシート４２が縫付けられている。なお、スポンジ等のクッション材料のパット
を肩当て４０の内部に縫い込んでもよい。
【００２３】
吊り手３０は硬質の合成樹脂製の三角形リンク３５の一部を欠損３７してフック状に構成
されている。手で握る部分に発泡ゴム等で作成したクッション材３６を被せる。このよう
にフック状に構成すれば、荷物等を引っ掛けて吊り下げることもできる。
【００２４】
図4は長さ調整機能付きの分離結合用留め具７０を示すもので、肩掛け紐体２０及び幼児
固定紐体６０の両方に取り付けられていて、雄型バックル７１と雌型バックル７２より構
成されている。雄型バックル７１には肩掛け紐体２０の自由端が縫合によって固着されて
いる。
【００２５】
雌型バックル７２は長さ調整機能が付いている。その構造は、図3に示されたものと同じ
構造をしており、雌型バックル７２のバーに捲回された肩掛け紐体２０の自由端を引き出
したり、戻すことによりその長さを調節することができる。雄型バックル７１の挿入爪７
３を雌型バックル７２の挿入孔（図示せず）に挿入すると、両端のロック爪７４が雌型バ
ックル７２の内部にある係合部（図示せず）に係合してロックされる。ロックを解除する
には雌型バックル７２の凹欠部７６に露出するロック爪７４のヘッドを押し込めばロック
が外れる。
【００２６】
この実施例の幼児用だっこ紐１の使用状態を図６で説明する。
先ず、分離結合用留め具７０で肩掛け紐体２０の長さを調整した後、例えば左肩８４から
襷がけにかける。幼児９０を向き合った状態で抱いて左手の腕８１に幼児のお尻を載せて
抱き上げる。そして、分離結合用留め具７０を分離した状態にした幼児固定紐体６０を幼
児９０の背中に掛け、その先端の雌型バックル７２を、幼児の股を通して体の前面に持っ
てきた雄型バックル７１に結合して幼児を固定する。左手の掌８２で吊り手３０を握れば
、幼児９０の体重を肩掛け紐体２０で受けとめることになり左手の負担を軽減することが
出来、幼児固定紐体６０によって幼児は安定して固定される。当然、肩掛け紐体２０を右
肩から襷がけにしてに取り付ければ、右の腕で幼児を抱くことになる。
【符号の説明】
【００２７】
１   幼児用だっこ紐
２０   肩掛け紐体
３０   吊り手
４０   肩当て
５０  長さ調節機能付きき留め具
６０  幼児固定紐体
７０  長さ調整機能付き分離結合用留め具
【図１】
0003162494.tif 000003
【図２】
0003162494.tif 000004
【図３】
0003162494.tif 000005
【図４】
0003162494.tif 000006
【図５】
0003162494.tif 000007
【図６】
0003162494.tif 000008